(57)【要約】【課題】情報記録媒体の盗難を確実に防止できるとともにパソコンの電源がＯＦＦの時や、故障で起動できなくなった時でも情報記録媒体を取り出せる。しかも情報記録媒体を取り出すためのパスワードを記憶しておく必要がない利便性の高い情報処理装置を提供する。【解決手段】ＣＰＵ４内のＩＤ設定手段４ａはパソコン使用者に予めＩＤを登録させ、マイコン１２内のＩＤ保存手段９に登録されたＩＤを保存する。ＩＤ認証手段８が、外部端子７に装着されたＵＳＢメモリ１３に収納された認証ＩＤ１３ａを取り込んで、ＩＤ保存手段９に保存されたＩＤに基づいて認証し、認証ＯＫであれば、施解錠制御手段６が施解錠手段５を駆動してＨＤＤ２のロックを解除する。【選択図】図２
2009193295.tif 000002
【特許請求の範囲】
【請求項１】
着脱自在の情報記録媒体を本体内に装着した情報処理装置であって、
前記情報記録媒体の離脱を防止する施解錠手段と、
予め登録された登録ＩＤを保存するＩＤ保存手段と、
認証ＩＤを取得する外部端子と、
前記外部端子から取得された認証ＩＤを前記登録ＩＤと比較して認証するＩＤ認証手段と、
前記ＩＤ認証手段により前記登録ＩＤと前記認証ＩＤとが一致したと判定されたときに、前記施解錠手段を解錠する施解錠制御手段とを備えた情報処理装置。
【請求項２】
前記情報記録媒体の装着を検知する情報記録媒体検知手段をさらに備え、前記ＩＤ認証手段により前記登録ＩＤと前記認証ＩＤとが一致したと判定されたときに、前記施解錠制御手段が前記施解錠手段を解錠する動作を所定期間継続し、前記所定時間継続後に前記情報記録媒体検知手段が前記情報記録媒体を検知したときは、前記施解錠制御手段が前記施解錠手段を再び施錠する請求項１に記載の情報処理装置。
【請求項３】
前記認証ＩＤは前記外部端子に接続可能な外部機器に保存されており、
前記外部機器が前記外部端子に接続されたときに、前記認証ＩＤが前記外部端子から取得される請求項１または請求項２に記載の情報処理装置。
【請求項４】
報知手段をさらに備え、前記施解錠制御手段が前記施解錠手段を再び施錠したときは、前記報知手段を作動して使用者に前記外部端子に接続された前記外部機器が未取り出しであることを警告する請求項３に記載の情報処理装置。
【請求項５】
前記外部端子は、ＵＳＢ端子である請求項３に記載の情報処理装置。
【請求項６】
前記ＩＤ保存手段が保存する登録ＩＤは、前記外部端子に接続される前記外部機器のシリアル番号である請求項３に記載の情報処理装置。
【請求項７】
前記外部機器はＵＳＢメモリであり、前記登録ＩＤは前記ＵＳＢメモリのシリアル番号である請求項６に記載の情報処理装置。
【発明の詳細な説明】
【技術分野】
【０００１】
本発明は、ハードディスクドライブなどの情報記録媒体を備えた情報処理装置に関わり、特にデスクトップ型やノート型のパーソナルコンピュータに着脱自在に装着されたハードディスクドライブなどの情報記録媒体の盗難防止を可能とした情報処理装置に関する。
【背景技術】
【０００２】
パーソナルコンピュータ（以下、「パソコン」とも略記する）は、自身で作成したデータやインターネットを通じて入手した情報をネットワーク通信でサーバーに収納したり、パソコン自身に装着したＨＤＤ（Ｈａｒｄ  Ｄｉｓｃ  Ｄｒａｉｖｅ：ハードディスクドライブ）やＤＶＤ（Ｄｉｇｉｔａｌ  Ｖｅｒｓａｔｉｌｅ  Ｄｉｓｃ）などの情報記録媒体に記録する構成にしているものが一般的である。特に携帯して使用するノート型のパソコンでは情報記録媒体は必須の構成要素となっている。
【０００３】
パソコンに装着した情報記録媒体は、自身のパソコン内の情報を他のパソコンと交換したり、新しい情報記憶媒体に取り替えたりするためにパソコン本体に着脱自在に収納される構成が一般的である。このために、不特定多数の人が出入りするオフィスビルなどに設置されるパソコンにあっては情報記録媒体の盗難の危険がある。
【０００４】
近年パソコンで扱える情報量は増加の一途をたどっており、情報交換のための情報記録媒体としては大容量、高速アクセスが要求されており、従来からのＣＤ（Ｃｏｍｐａｃｔ  Ｄｉｓｃ）、ＤＶＤ、ＭＯ（Ｍａｇｎｅｔｏ  Ｏｐｔｉｃａｌ  Ｄｉｓｃ）などに加えてＨＤＤを情報交換用の情報記録媒体として使用する使い方が増加している。ＨＤＤの場合は、記憶容量が大きく利便性が高い反面、大量の重要情報が保存されているために、一旦盗難に遭うとその被害は甚大である。
【０００５】
そこで、情報記録媒体の盗難を防止する方法として、例えば特許文献１に示すような提案がなされている。特許文献１に示すものは、情報記録媒体（特許文献１では「パックユニット」と記載）を電磁ロックでパソコン本体にロックし、パソコンの電源ＯＮ時に、使用者がパスワードを入力することでロックを解除して情報記録媒体をパソコンから取り出すことができるようにしたものである。
【特許文献１】特開平９−３０５２６０号公報
【発明の開示】
【発明が解決しようとする課題】
【０００６】
しかしながら前述の特許文献１に示す方法は、情報記録媒体を本体から取り出すためにはパソコンの電源をＯＮする必要がある。近年、パソコンの高性能化に伴いＯＳ（基本ソフト）も高機能化し、ＯＳが稼働状態になるまでの時間が延びる傾向にあり、従ってパスワードが入力できる時間も延びるので、例えば急用で情報記録媒体を取り替えてノート型パソコンを持ち出す際に、パソコンの電源がＯＦＦされている場合は無駄な時間を要して不都合である。
【０００７】
また、使用者がパスワードを忘れてしまうと情報記録媒体を取り出せない不都合が発生する。さらには、パソコンが何らかの異常で起動できなくなると、特許文献１に示す方法では情報記憶媒体の電磁ロックを解除することが不可能となり、機構的に分解して取り出さなくてはならなくなる。
【０００８】
本発明は上記課題を解決するためになされたものであり、情報記録媒体の盗難を確実に防止できるとともにパソコンの電源がＯＦＦの時や、故障で起動できなくなった時でも情報記録媒体を取り出せ、しかも情報記録媒体を取り出すためのパスワードを記憶しておく必要がない利便性の高い情報処理装置を提供することを目的とする。
【課題を解決するための手段】
【０００９】
上記課題を解決するために、本発明の情報処理装置は、着脱自在の情報記録媒体を本体内に装着した情報処理装置であって、情報記録媒体の離脱を防止する施解錠手段と、予め登録された登録ＩＤを保存するＩＤ保存手段と、認証ＩＤを取得する外部端子と、外部端子から取得された認証ＩＤを登録ＩＤと比較して認証するＩＤ認証手段と、ＩＤ認証手段により登録ＩＤと認証ＩＤとが一致したと判定されたときに、施解錠手段を解錠する施解錠制御手段とを備えた。
【００１０】
このことにより、情報記録媒体の盗難を防止するとともに、パソコンの電源をＯＮすることなく情報記録媒体をパソコンから取り出すことができる。さらに、情報記録媒体を取り出すためのパスワードを使用者が記憶しておく必要がない。
【００１１】
また、本発明の情報処理装置は、情報記録媒体の装着を検知する情報記録媒体検知手段をさらに備え、ＩＤ認証手段により登録ＩＤと認証ＩＤとが一致したと判定されたときに、施解錠制御手段が施解錠手段を解錠する動作を所定期間継続し、所定時間継続後に情報記録媒体検知手段が情報記録媒体を検知したときは、施解錠制御手段が施解錠手段を再び施錠する。
【００１２】
このことにより、情報記録媒体を取り出さないで放置したときに、所定時間後に再度施錠するので情報記録媒体の盗難を防止できる。
【００１３】
また、本発明の情報処理装置は、認証ＩＤは外部端子に接続可能な外部機器に保存されており、外部機器が外部端子に接続されたときに、認証ＩＤが外部端子から取得される。
【００１４】
このことにより、使用者は認証ＩＤの保存された外部機器を外部端子に接続するだけで簡単かつ迅速に情報記録媒体の施錠を解除できる。
【００１５】
また、本発明の情報処理装置は、報知手段をさらに備え、施解錠制御手段が施解錠手段を再び施錠したときは、報知手段を作動して使用者に外部端子に接続された外部機器が未取り出しであることを警告する。
【００１６】
このことにより、情報処理装置に認証用の外部機器を接続した状態で放置し、情報記録媒体が盗難に遭うのを防ぐことができる。さらには、外部機器そのものの盗難も防止できる。
【００１７】
また、本発明の情報処理装置は、外部端子は、ＵＳＢ端子である。
【００１８】
このことにより、小型で保存に適した、かつ、安価なＵＳＢメモリなどを認証用外部機器として利用できる。
【００１９】
また、本発明の情報処理装置は、ＩＤ保存手段が保存する登録ＩＤは、外部端子に接続される外部機器のシリアル番号である。
【００２０】
このことにより、ＩＤ保存手段にＩＤを保存する場合の登録操作が簡略化できる。
【００２１】
また、本発明の情報処理装置は、外部機器はＵＳＢメモリであり、登録ＩＤはＵＳＢメモリのシリアル番号である。
【発明の効果】
【００２２】
本発明によれば、情報記録媒体の盗難を確実に防止できるとともにパソコンの電源がＯＦＦの時や、故障で起動できなくなった時でも情報記録媒体を取り出せ、しかも情報記録媒体を取り出すためのパスワードを記憶しておく必要がない利便性の高い情報処理装置を提供することができる。
【発明を実施するための最良の形態】
【００２３】
以下、本発明の実施の形態について図面を参照しながら詳細に説明する。
【００２４】
（実施の形態）
図１は本発明の実施の形態におけるパソコン１の外観を示す図である。パソコン１は、スロット１ａを備え、このスロット１ａに情報記録媒体であるＨＤＤ２を差し込んで使用できる構成である。
【００２５】
さらに、パソコン１は、外部端子７を備え、この外部端子７にＵＳＢメモリ１３を接続できる構成である。使用者は、必要に応じてＨＤＤ２をスロット１ａから抜いて情報交換用の情報記録媒体として使用することができる。本実施の形態のパソコン１は認証用の外部機器としてのＵＳＢメモリに書き込まれたユニークなＩＤ（認証ＩＤ）を読み込み、事前に登録しておいたＩＤ（登録ＩＤ）と比較して認証を行い、認証が成立した場合に限り、ＨＤＤ２のロックを解除してパソコン本体から取り出せるようにしたものである。
【００２６】
図２は本実施の形態におけるパソコン１の電気的な構成を示すブロック図である。パソコン１の本来機能（ワープロ機能やインターネット機能）を発揮するための構成としては、商用電源からＡＣアダプタ（図示せず）を介して充電可能な２次電池３と、ＣＰＵ（中央処理装置）４と、このＣＰＵ４に接続されたマウスやキーボードなどの入力装置４１と、演算などのデータ処理のためのＲＡＭ４２と、ＯＳやアプリケーションソフトを収納するフラッシュメモリ等のＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）４３と、ディスプレイ４４と、着脱自在なデータ保存用のＨＤＤ２がコネクタ４５を介して接続された構成である。
【００２７】
このような一般的なパソコン構成に付加された部分について次に説明する。
【００２８】
この付加された部分は、上記ＨＤＤ２をパソコン１の本体にロックするための施解錠手段５と、施解錠手段５を制御する施解錠制御手段６と、外部端子７に接続されたＩＤ認証手段８と、ＩＤ保存手段９と、報知手段１０と、ＨＤＤ２がパソコン本体に装着されていることを検知するＨＤＤ検知手段１１とで構成されている。
【００２９】
なお点線枠で示す符号６、８、９、１０は、マイクロコンピュータ（以下、「マイコン」と略記する）１２に収納された構成であり、ソフトウェアで実現される。少なくともマイコン１２、施解錠手段５および施解錠制御手段６には、パソコンの電源スイッチのＯＮ、ＯＦＦに関わらず２次電池３から必要な電源が給電される構成になっている。
【００３０】
また、ＣＰＵ４の内部には、ＩＤ保存手段９に保存するためのＩＤを設定するためのＩＤ設定手段４ａがソフトウェアとして内蔵されている。なお、外部端子７はＵＳＢ端子であり、この端子には、認証ＩＤ１３ａを内蔵したＵＳＢメモリ１３が装着可能な構成である。
【００３１】
図３は本実施の形態における施解錠手段５の構成例を説明するための図である。図３（ａ）は施解錠手段５がＨＤＤ２をパソコン１にロックしている状態を示す図、図３（ｂ）は施解錠手段５がＨＤＤ２のロックを解除している状態を示す図である。
【００３２】
施解錠手段５は、例えば電磁ラッチ型ソレノイドであり、パルス電力を印加することにより駆動軸５ａを図面で示す上下方向に出し入れする。状態の保持は無通電であるため無駄な電力消費は発生しない。
【００３３】
図３（ａ）では駆動軸５ａがＨＤＤ２の凹部２ａに係合してＨＤＤ２をロックする。また、図３（ｂ）では、駆動軸５ａがＨＤＤ２の凹部２ａから離脱してＨＤＤ２のロックを解除する。なお、ＨＤＤ検知手段１１は、例えばマイクロスイッチであり、ＨＤＤ２がパソコン本体に装着されているかどうかを検知する。
【００３４】
次に、図２および図３を参照しながら、図４および図５のフローチャートを用いて本実施の形態のパソコン本体にＨＤＤ２を施解錠する際の動作を説明する。
【００３５】
まず、図４を用いてＩＤ保存手段９に保存されるＩＤの登録（保存）方法について説明する。このＩＤの登録動作はパソコンが起動中に行われる。なお、以下の動作フローでは電源ＯＮ時に通常のパソコンで行われるユーザＩＤおよびユーザパスワードによるユーザ認証動作は省略している。
【００３６】
ステップＳ１において、パソコン１の電源をＯＮすると、ステップＳ２において、予めＣＰＵ４にソフトウェアとしてインストールされたＩＤ設定手段４ａが、パソコンのディスプレイ上でパソコン使用者にパスワード入力を要求する。このパスワード入力要求は、例えば、パソコン使用者がキーボード上の特定キーを押すなどの操作によって行われる。その後、パソコン使用者がパスワードを入力して、このパスワードが認証されると次のステップＳ３において、同じくディスプレイ上に、認証キー（ＵＳＢメモリ）の接続を要求する旨の表示がなされる。ステップＳ４において、使用者がＵＳＢメモリ１３を外部端子７に接続すると、次のステップＳ５において、ＣＰＵ４はＵＳＢメモリ１３のシリアル番号等のＵＳＢメモリ１３にユニークな情報を登録用のＩＤとして読み取り、次のステップＳ６において、読み取ったシリアル番号をＩＤ保存手段９に保存させる。その後のステップＳ７においてＩＤの登録が完了したことをディスプレイ上でパソコン使用者に報知してＩＤの登録が終了する。
【００３７】
なお、前述したように上記フローではパソコン１の電源をＯＮ後に通常行われるユーザＩＤとユーザパスワードによる行われるユーザ認証のステップは省略しているが、ＨＤＤ２の施解錠のＩＤ登録のためのユーザ認証は、上記通常のユーザ認証で代替することも可能である。
【００３８】
次に、図５を用いて、本実施の形態の施解錠手段５の解錠動作について説明する。
【００３９】
前述のように、ＨＤＤ２がパソコン１に装着された状態では、ＨＤＤ検知手段１１の検知信号によって、施解錠制御手段６が施解錠手段５を施錠状態に制御して、盗難防止の機能を発揮している。
【００４０】
まずステップＳ１１において、パソコン使用者がＵＳＢメモリ（以下単に「キー」とも呼ぶ）１３を外部端子７に挿入すると、次のステップＳ１２において、ＩＤ認証手段８がキー１３のシリアル番号を読み取り、ＩＤ保存手段９に保存されたＩＤと照合する。
【００４１】
照合の結果がＹＥＳであれば、次のステップＳ１３において、施解錠制御手段６がパルス電力を供給して施解錠手段５を解錠状態にする。次のステップＳ１４で、施解錠制御手段６は所定時間（例えば５秒間）待機する。次にステップＳ１５において、ＨＤＤ２が取り出されたどうかをＨＤＤ検知手段１１によって調べ、ＹＥＳであれば、ステップＳ１６において、施解錠手段５を解錠状態にしたままで動作を終了する。しかしステップＳ１５において、ＮＯ（ＨＤＤ２が取り出されない）であれば、次のステップＳ１７において、施解錠制御手段６がパルス電力を供給して施解錠手段５を施錠状態に制御する。同時にステップＳ１８において、報知手段１０を作動させて（ランプのフラッシュやブザーの吹鳴など）パソコン使用者に「キーが抜き忘れであること」を警告する。この警告は、ステップＳ１９でパソコン使用者がキー１３を取り出すまで継続する。この警告によりキーそのものが盗難に遭うことを防止できる。なお、ステップＳ１６で解錠が維持されている状態で、ＨＤＤ２を再度挿入した場合には、ＨＤＤ２を検知して自動的に施錠される。また、ステップＳ１６で解錠維持した場合でも、ステップＳ１８、ステップＳ１９と同様にキーの抜き忘れ防止のステップを入れてもよい。
【００４２】
上記説明では、電源ＯＦＦ時の施解錠動作について説明したが、電源ＯＮ時にもキーを入力することによってＨＤＤ２のロックを解錠するようにしてもよい。この場合には、着脱によってＨＤＤ２が壊れないようにＨＤＤ２の着脱に先立ってキーの挿入を検知してロックを解錠するとともにＨＤＤ２への給電を停止するよう制御してもよい。
【００４３】
以上説明したように、本実施の形態のパソコン１は、常時はＨＤＤ２を本体にロックして盗難を防止し、ＨＤＤ２を取り外す際には、パソコン１の電源がＯＦＦの場合でも、キーとして登録されたＵＳＢメモリ１３などの外部機器を外部端子に接続することでＨＤＤ２を取り外すことができる構成にした。これにより、短時間でＨＤＤ２を取り外すことができる。また、ＨＤＤ２を取り外す際に、パスワードの入力を必要としないので、パスワードを忘れた場合のＨＤＤ２を取り出せない事故を避けることができる。さらには、パソコン１が何らかの異常で起動できなくなった場合でもＨＤＤ２はＵＳＢメモリ１３を接続するだけで容易に取り出すことができる。
【００４４】
なお、上記実施の形態では、情報記憶媒体としてＨＤＤを例に挙げて説明したが、情報記憶媒体としてはＨＤＤに限定されるものではなく、ＣＤ、ＤＶＤ、ＭＯ、半導体メモリ等であってもよい。この場合には、これらの媒体を施錠機構のついたパックなどに内蔵した構成にすることで本発明の適用が可能となる。
【００４５】
また、上記実施の形態では、ＨＤＤ２には交換情報のみが記録されており、ＯＳやアプリケーションソフトはＥＥＰＲＯＭ４３等に記録されているとして説明したが、ＯＳやアプリケーションソフトも交換情報とともにＨＤＤ２に記録されていてもかまわない。
【００４６】
また、上記実施の形態では、施解錠キーとしてＵＳＢメモリを例にして説明したが、施解錠キーとしてはＵＳＢ端子を備えた他のデバイスであってもよい。また、外部端子としてはＵＳＢ端子に限定されることはなく、ＳＤカード端子やＰＣＭＣＩＡカード端子、イーサネット（登録商標）端子等でも同様に使用できることは言うまでもない。さらには、パソコンの汎用端子でなくても認証専用端子を備えてもよい。専用端子の認証キーを使用することによりセキュリティーをさらに強化することができる。
【００４７】
また、上記実施の形態では、施解錠キーの認証のためのＩＤとしてＵＳＢメモリのシリアル番号としたが、キーに使用する外部機器のユニークな識別子であればよい。また、ＩＤとして製造業者が外部機器に書き込んでいるもの以外に、所定の領域にパソコン使用者が独自で書き込んだＩＤを利用することも可能である。パソコンから操作して作成したＩＤを、ＩＤ保存手段９と外部端子７に接続したＵＳＢメモリの両方に書き込むようにして利用してもかまわない。
【００４８】
また、上記実施の形態では、認証ＩＤを書き込んだ施解錠キーをキー用の端子に挿入することによりキーを認証し、解錠を行うとしたが、ネットワーク経由で他のパソコンからＩＤを取得し、これにより認証を行い施解錠動作を行ってもよい。例えば、他のパソコンの画面からキーのＩＤを入力し、これによって施解錠動作が可能となる。
【００４９】
また、ＩＤ保存手段９に保存するＩＤを１個で説明したが、複数個のＵＳＢメモリを用意して、ＩＤ保存手段９に保存するＩＤを複数個とすれば、複数のＵＳＢメモリをスペアキーとして利用でき、あるいは複数の人で利用できる。
【００５０】
また、上記実施の形態では、パソコンを例に挙げて説明を行ったが、ＣＰＵとＨＤＤを備えた情報処理装置においても実現可能であり、例えばＨＤＤ内蔵ＴＶや、ＨＤＤレコーダ、ＨＤＤ内蔵ＤＶＤレコーダ等においても同様の構成で実現できる。
【産業上の利用可能性】
【００５１】
本発明は、着脱可能に取り付けられた情報記録媒体を搭載した情報機器一般に広く利用可能である。
【図面の簡単な説明】
【００５２】
【図１】本発明の実施の形態におけるパーソナルコンピュータの外観を示す図
【図２】同パーソナルコンピュータの電気的な構成を示すブロック図
【図３】同パーソナルコンピュータの施解錠手段の構成例を説明するための図
【図４】同パーソナルコンピュータのＩＤ保存手段のＩＤ設定を説明するためのフローチャート
【図５】同パーソナルコンピュータの施解錠手段の解錠動作を説明するためのフローチャート
【符号の説明】
【００５３】
１    パソコン（パーソナルコンピュータ）
２    ＨＤＤ（情報記録媒体）
３    ２次電池
４    ＣＰＵ
５    施解錠手段
６    施解錠制御手段
７    外部端子
８    ＩＤ認証手段
９    ＩＤ保存手段
１０    報知手段
１１    情報記録媒体（ＨＤＤ）検知手段
１２    マイコン（マイクロコンピュータ）
１３    ＵＳＢメモリ（キー）
１３ａ    認証ＩＤ
【図１】
2009193295.tif 000003
【図２】
2009193295.tif 000004
【図３】
2009193295.tif 000005
【図４】
2009193295.tif 000006
【図５】
2009193295.tif 000007